(57)【要約】【課題】従来、位牌には死者の戒名や法名だけが記されているものであり、故人の生前の姿や声など、個人の情報を直接知ることはできない。そこで、故人の情報を電子データとして保存し、備えられているディスプレイに保存した情報を出力することが可能な位牌が提供されている。しかしながら、上記技術は、あらかじめ故人が亡くなる前に準備しておかなければならない。なぜなら、通常位牌に込められた御霊は、移動させるものではないためである。また、故人の生前の情報を電子データとして記憶することにより様々な要因からデータが損なわれるなど利用不可能になる可能性がある。【解決手段】そこで、この問題を解決するために、コード部材に故人の生前の情報を二次元コードとして出力し、それを格納するため機能を備える台座を提供する。【選択図】  図１
2011083497.tif 000002
【特許請求の範囲】
【請求項１】
位牌として用いられる仏具に取り付ける台座であって、
故人の生前の記録を二次元コードとして表示するための薄板状のコード部材と、
裏面に配置されコード部材外形より余裕を持った開口の凹構造を有する格納部と、
格納部にコード部材を格納した状態で前記開口を閉塞する蓋部と、
を有する台座。
【請求項２】
前記格納部の底面と、前記蓋部とは、格納部にコード部材を格納した状態で磁石力により固定されるように構成された請求項１に記載の台座。
【請求項３】
前記格納部の底面に磁石を配置し、
前記蓋部に前記底面に配置された磁石によって蓋ができる程度に前記磁石により引き寄せられる磁性金属を備え、
前記コード部材に、それ自身が磁石によって引き寄せられる磁性金属を備えた請求項１または２に記載の台座。
【請求項４】
位牌として用いられる仏具に取り付ける台座であって、
故人の生前の記録を二次元コードとして表示するための薄板状のコード部材と、
裏面に配置されコード部材外形より余裕を持った開口の凹構造を有する格納部と、
を有し、
前記コード部材と、前記格納部の底面とは、磁石力で固定されるように構成されている台座。
【請求項５】
前記格納部が裏面に複数設けられている請求項１から４のいずれか一に記載の台座。
【請求項６】
前記蓋部材は透明である請求項１から３、または請求項１から３のいずれかに従属する請求項５に記載の台座。
【発明の詳細な説明】
【技術分野】
【０００１】
本発明は、故人の生前の情報を２次元コードに記録した部材を格納可能な台座に関する。
【背景技術】
【０００２】
位牌とは、死者の祭祀のため、死者個人の戒名や法名を記した木牌である。これらの木牌は、通常永く仏壇に安置され、子々孫々、代々祀られるものである。
【０００３】
しかしながら、このような位牌には死者の戒名や法名だけが記されているものであり、故人の生前の姿や声など、個人の情報を直接知ることはできない。そのため、故人の生前の情報は、故人の生前を知る人々が情報を個々に記憶する必要があった。しかしながら、記憶は、長い年月が経過することや、記憶をとどめている本人が亡くなることでその情報が劣化や消失してしまうという問題がある。そこで、問題を解決するために特許文献１に記載のような発明が提供されている。具体的には、故人の情報を電子データとして保存し、備えられているディスプレイに保存した情報を出力することが可能な位牌である。
【先行技術文献】
【特許文献】
【０００４】
【特許文献１】特開２００７−１０９００６
【発明の概要】
【発明が解決しようとする課題】
【０００５】
しかしながら、特許文献１に記載の発明は、あらかじめ故人が亡くなる前に準備しておかなければならない。なぜなら、通常位牌に込められた御霊は、移動させるものではないためである。したがって、すでに御霊が入れられた位牌に対して特許文献１に記載の発明を利用することができない。
【０００６】
また、故人の生前の情報を電子データとして位牌に記憶させることから、外部から位牌に対して与えられる衝撃などが原因で電子データが損なわれる可能性があるという課題もある。さらに、これらの電子データのフォーマットは技術の進歩とともに仕様変更が行われることも多いため、記録された時点では再生可能であっても、将来的に仕様変更によって再生が不可能になる可能性があるという課題もある。
【課題を解決するための手段】
【０００７】
そこで、この問題を解決するために、コード部材に故人の生前の情報を二次元コードとして出力し、それを格納するため機能を備える台座を提供する。具体的には、次のような台座である。
【０００８】
第１発明では、位牌として用いられる仏具に取り付ける台座であって、故人の生前の記録を２次元コードとして表示するための薄板状のコード部材と、裏面に配置されコード部材外形より余裕を持った開口の凹構造を有する格納部と、格納部にコード部材を格納した状態で前記開口を閉塞する蓋部と、を有する台座を提供する。
【０００９】
第２発明では、第１発明を基本として前記格納部の底面と、前記蓋部とは、格納部にコード部材を格納した状態で磁石力により固定されるように構成された台座を提供する。
【００１０】
第３発明では、第１発明又は第２発明を基本として、前記格納部の底面に磁石を配置し、前記蓋部に前記底面に配置された磁石によって蓋ができる程度に前記磁石により引き寄せられる磁性金属を備え、前記コード部材に、それ自身が磁石によって引き寄せられる磁性金属を備えた台座を提供する。
【００１１】
第４発明では、位牌として用いられる仏具に取り付ける台座であって、故人の生前の記録を二次元コードとして表示するための薄板状のコード部材と、裏面に配置されコード部材外形より余裕を持った開口の凹構造を有する格納部と、を有し、前記コード部材と、前記格納部の底面とは、磁石力で固定されるように構成されている台座を提供する。
【００１２】
第５発明では、第１発明から第４発明のいずれか一を基本として前記格納部が裏面に複数設けられている台座を提供する。
【００１３】
第６発明では、第一発明から第３発明、または第１発明から第３発明のいずれかを基本とする第５発明を基本として、前記蓋部材は透明である台座を提供する。
【発明の効果】
【００１４】
本発明により、すでに御霊が込められた位牌に、故人の生前の情報を2次元コードに変換した部材を格納することができる。これにより、故人の生前の情報を劣化・消失させることなく保管することが可能となり、位牌とともに故人の情報を代々受け継いでいくことができる。
【図面の簡単な説明】
【００１５】
【図１】実施形態１の台座の一例を示した概略図
【図２】実施形態１の台座における位牌に取り付けた場合の一例を示した図
【図３】実施形態１の台座におけるコード部材の一例を示した図
【図４】実施形態１の台座におけるコード部材に表示する２次元コードの一例を示した図
【図５】実施形態１の台座における格納部の一例を示した図
【図６】実施形態１の台座における格納部が溝部を備えた場合の一例を示した図
【図７】実施形態１の台座における蓋部の一例を示した図
【図８】実施形態１の台座における蓋部が取手部を備えた場合の一例を示した図
【図９】実施形態１の台座における格納部の底面と蓋部とが格納部にコード部材を格納した状態で磁石力により固定されるように構成された形態の一例を示した図
【図１０】実施形態１の台座における格納部の底面に磁石を配置し、蓋部には底面に配置された磁石によって蓋ができる程度に磁石により引き寄せされる磁性金属を備え、コード部材に、それ自身が磁石によって引き寄せられる磁性金属を備えるように構成された形態の一例を示した図
【図１１】実施形態１の台座における格納部が複数備えられた場合における一例を示した図
【発明を実施するための形態】
【００１６】
以下に、図を用いて本発明の実施の形態を説明する。なお、本発明はこれらの実施の形態に何ら限定されるものではなく、その要旨を逸脱しない範囲において、種々なる態様で実施しうる。
【００１７】
実施形態１は主に請求項１、２、３、４、５、６について説明する。
【００１８】
≪実施形態１≫
<実施形態１  概要>
【００１９】
本実施形態の台座（０１２０）は、図１に示すように、台座本体（０１０１）の裏面にコード部材（０１０２）を格納するための格納部（０１０３）を備え、また格納部にコード部材を格納した状態で格納部の開口を閉塞することができる蓋部（０１０４）とで構成される台座である。そして、本実施形態の台座は図１、２に示すように、位牌（０１０５、０２０５）として用いられる仏具の底面に取り付けることで使用するものである。
【００２０】
<実施形態１：構成>
【００２１】
≪台座本体≫
【００２２】
「台座本体」（０１０１）は、図１に示すようにすでに御霊が込められた位牌の台座の底面に対して取り付けられるものである。本実施形態の台座（０１２０）の台座本体（０１０１）は、図１に示すようにその裏面に後に詳述するコード部材（０１０２）を格納し、後に詳述する蓋部（０１０４）を用いて閉塞する。なお、本実施形態の台座（０１２１）の台座本体（０１０１）は、図１、２に示すようにコード部材（０１０２）を格納することを想定して、少なくともコード部材を格納するスペース（格納部）を内部に設けることができるように設計されている。
【００２３】
≪コード部材≫
【００２４】
「コード部材」（０１０２）は、故人の生前の記録を二次元コードとして表示するための薄板状の部材である。図３に示すように本実施形態のコード部材（０３０２）は、薄板状の形態をしており、その一面に故人の生前の記録を含むＱＲコードなどの二次元コードが表示されている。ここで、本実施形態においてコード部材にはＱＲコードを記す構成としたが、二次元コードであればそれに限らない。例えば、ＳＰコードやマキシコード、ベリコードなどである。また、コード部材には、複数の二次元コードが表示される構成であってもよい。これにより、より多くの情報を納めることが可能となる。また、コード部材は金属製の板であると信頼性が高まる。金属とくにさびにくい金属が好ましい。金属はさびを除いては経年劣化が少ないからである。また金属板に対してコードを彫りこむことで印刷が薄くなったり、削れたりすることから情報を保護できる。具体的には通常コードの中で黒く塗りつぶされる部分は高く、白い部分は低く彫りこむことでたとえ黒く塗りつぶされる部分のインクが無くなっても、読み出したいときに適宜色を付して読み取るようにすることができる。平面上に印刷した状態ではどの部分が本来黒色でどの部分が本来白色だったのか不明となるからである。材料としては、例えばステンレス、金を含んだ合金、コーティングされたアルミなどが好ましい。
【００２５】
本実施形態においてＱＲコードなどの二次元コードとは、あらかじめ文字や映像、音声などとして記録されている故人の情報をＱＲコードなどの二次元コードとして変換したものである。例えば、図４に示すような二次元コード（ＱＲコード）である。本図は、図４（ａ）は、記録する情報を示しており、図４（ｂ）は、図４（ａ）に記載の文章を実際にＱＲコードとして変換したものである。このようにして、故人の情報を二次元コードに変換するという具合である。ここで、このＱＲコードなどの二次元コードには、故人の生前の情報のほかに、記録されている情報を再生するためのアプリケーションやツールなどの情報も含まれている構成であることが好ましい。
【００２６】
ここで、本実施例ではコード部材を１枚若しくは１個である形態を採用したが、記録された情報の量に応じてコード部材が複数で構成されていてもよい。このようにすることで、より多くの情報を仏具に収めることが可能となる。また、この場合コード部材は、紙状であることが好ましい。これにより、より多くのコード部材を一つにまとめることが容易となる。
【００２７】
その他、コード部材は二次元コードを表示できることができる材質であれば一般的には広く利用できる。例えば、金属、プラスチック等の合成樹脂、シリコンゴム等の弾性ゴムのうち硬度の高いもの、セラミックス等さらには木材、紙、又はそれらの組み合わせであってもよい。
【００２８】
≪格納部≫
【００２９】
「格納部」（０１０３）は、裏面に配置され、コード部材外形より余裕をもった開口の凹構造を有する。具体的に本実施形態において図５に示すように台座本体（０５０１）の裏面に配置された実線で囲まれた空間（０５０３）である。そして、この空間にコード部材を格納する。
【００３０】
ここで、「格納部」は、コード部材を格納するだけのスペースを有していればよく、その大きさや形状は限定されない。例えば、円形であってもよいし三角形であってもよい。さらには、家紋など複雑な形状の外形をしていてもよい。
【００３１】
また、図６に示すように格納部（０６０３）には後に詳述する蓋部を用いて閉塞した場合に、蓋部を取り外すための「溝部」（０６０６）があることが好ましい。これにより、格納部を閉塞した蓋部を容易に取り外すことが可能となる。また格納部の蓋をする近辺には、格納部があること、ないしは、そこに個人の情報を記録したコード部材が格納されていることなどを記載したらよい。
【００３２】
≪蓋部≫
【００３３】
「蓋部」（０１０４）は、格納部にコード部材を格納した状態で開口を閉塞する。具体的には、図７（ａ）に示すように前記コード部材（０７０２）を格納部（０７０３）に格納したうえで閉塞するための蓋（０７０４）である。これにより、図７（ｂ）に示すように格納部の底面と蓋の一面とでコード部材を挟み込むように保持することが可能となる。
【００３４】
ここで、蓋部は図８に示すように、その底面側（地面に接する側）に蓋部を取り外すための「取手」（０８０７）を設ける構成であってもよい。これにより、取手を用いて容易に蓋部を取り外すことが可能となる。
【００３５】
また、蓋部に用いられる部材は素材に関係なく、透明である構成であってもよい。これにより、蓋部を用いて格納部を閉塞した状態でも格納部に格納されたコード部材に記載された２次元コードを確認することができるとともに、これを２次元コードを読み込ませる機械を用いて外部から読みこませることが可能となる。外部から読み取り可能とする場合には蓋部は取り外し可能であっても、取り外しが簡単にできないような構造であってもよい。また蓋部が非透明部材または透明だが着色されている部材である場合には、そこにコード部材が格納されていることを示すための注意書きを備えていてもよい。もちろん蓋部材により格納部を閉塞した状態で外部から読み取れる形態である必要がある。
【００３６】
≪付加的機能≫
【００３７】
本実施形態の台座は、その付加的機能として以下のような機能及び機能を実現するための構成を備えていてもよい。これらの付加的機能は、機能単体を付加してもよいし、複数の機能を組み合わせて付加してもよい。
【００３８】
<磁石力による固定>
【００３９】
本実施形態の格納部の底面と、蓋部とは、格納部にコード部材を格納した状態で磁石力により固定されるように構成されていてもよい。また、コード部材それ自身が磁石よって引き寄せられる磁性金属を備える構成であってもよい。具体的には以下のような形態が考えられる。
【００４０】
<形態１>
【００４１】
形態１として図９に示すように格納部の底面と蓋部とは格納部にコード部材を格納した状態で磁石力により固定されるように構成された形態が考えられる。
【００４２】
この場合には、例えば、お互いが引きあう磁性を持つ材質で格納部の底面（０９０３）と、蓋部（０９０４）を構成することが考えられる。これにより、格納部の底面と蓋部とをそれ自身が発する磁力によってお互いに引き合うことで固定させることが可能となる。
【００４３】
ここで格納部の底面と蓋部は、格納部の底面のみを磁性を持つ材質で構成し、残る蓋部には磁石に引き寄せられる性質を持つ金属で構成してもよい。また、その逆であってもよい。さらには、格納部の底面及び蓋部はそれ自身が磁性を持つ必要はなく、格納部の底面及び蓋部に磁性を持つ材質を配置する構成であってもよい。
【００４４】
<形態２>
【００４５】
形態２として、格納部の底面に磁石を配置し、蓋部には底面に配置された磁石によって蓋ができる程度に磁石により引き寄せされる磁性金属を備え、コード部材に、それ自身が磁石によって引き寄せられる磁性金属を備えるように構成された形態が考えられる。
【００４６】
この場合には、例えば図１０（ａ）に示すように、格納部（１００３）の底面に磁石（１００９）を備えるとともに蓋部（１００４）の格納部の底面に接する側に磁石（１００８）を備え、また、コード部材（１００２）自身も磁石によって引き寄せられる磁性金属で構成されることが考えられる。これにより、例えば図１０（ｂ）に示すように何らかの衝撃によって蓋部（１００４）が外れた場合においても、コード部材（１００２）自身が有する磁力によって、格納部（１００３）の底面に固定させることで、コード部材が台座から落下することを防ぐことが可能となる。
【００４７】
<格納部が複数備えられている場合>
【００４８】
本実施形態の台座は図１１に示すように、台座の裏面に複数個所に格納部（１１０３）が備えられる構成であってもよい。これにより、より多くのコード部材を格納することが可能となる。
【００４９】
なお、本例では格納部を２つ備える構成を例に挙げたが実際にはそれだけに限定されない。例えば、台座の裏面の広さに応じて３か所以上の格納部を備える構成であってもかまわない。
【符号の説明】
【００５０】
０１０１  台座本体
０１０２  コード部材
０１０３  格納部
０１０４  蓋部
０１０５  位牌
０６０６  溝部
０８０７  取手部
１００８  磁石
１００９  磁石
【図１】
2011083497.tif 000003
【図２】
2011083497.tif 000004
【図３】
2011083497.tif 000005
【図４】
2011083497.tif 000006
【図５】
2011083497.tif 000007
【図６】
2011083497.tif 000008
【図７】
2011083497.tif 000009
【図８】
2011083497.tif 000010
【図９】
2011083497.tif 000011
【図１０】
2011083497.tif 000012
【図１１】
2011083497.tif 000013